(57)【要約】      （修正有）【課題】睾丸の伸縮が弱くなった後期高齢者に、適応する睾丸用ネット包帯を提供する。【解決手段】円筒形のネット包帯本体の両端にリブ編み２、３を設け、一方のリブ編み２を細め、もう片方３を太めとした睾丸用ネット包帯１とし、さらに厚紙を丸めて円筒形のガイドを作り、前記ガイドに前記ネット包帯１を被せて、次に前記ガイドを広げた内部に睾丸を挿入し、前記ネット包帯本体を睾丸側に引っ張りながら前記ガイドを睾丸の反対側に抜くことで装着可能な睾丸用ネット包帯１。【選択図】図１
0003197360.tif 000002
【実用新案登録請求の範囲】
【請求項１】
円筒形のネット包帯本体と、前記ネット本体の一端に設けられた第１のリブ編み開口部と前記ネット包帯本体の他端に設けられた第２のリブ編み開口部とを備え、前記第１のリブ編み開口部は、前記第２のリブ編み開口部より外径が小さいことを特徴とする睾丸用ネット包帯。
【請求項２】
厚紙を丸めて円筒形のガイドを作り、前記ガイドに前記ネット包帯本体を被せて、次に前記を広げた内部に睾丸を挿入し前記ネット包帯本体を睾丸側に引っ張りながら前記ガイドを反対側に抜くことで装着可能な請求項１に記載の睾丸用ネット包帯。
【考案の詳細な説明】
【技術分野】
【０００１】  この考案は睾丸用ネット包帯に関する。
【背景技術】
【０００２】  高齢男性、特に後期高齢男性にとって睾丸の伸縮が緩慢になりいわゆる伸び切った状態となっていることが多い。このため入院患者や老人介護施設の入所者など活動能力の低下した人は、睾丸と内股が長時間接触することとなるため汗疹や痒みが発生しやすく、このようなときには薬や薬用パウダーなどを使用していた。
これを防ぐためには睾丸と内股を接触させないことが有効であるが、好適なものがなかった。
例えば特許文献１に示された技術にはイチョウ葉形の柔軟な吸湿性の布、又は紙の扇部の略中心部より左右対称部に扇部の中間部に向けて狭角状に切除をし、切除端縁を縫合して扇部を陰茎仕切りと睾丸挿入部を設けられている。紙の場合は薄いので挟角状部分は切除されておらず、挟角状、中心部で左部は谷折に右部は山折にして左右の合わせ面を糊付け固着されている。これをイチョウ葉形柄部及び扇部両端部に粘着によるパンツへの付着手段を設け各部分への皮膚同士が直接接触しないように構成されている。このようにすることによって、これをパンツの局部相当部位に付着して用いることにより、陰茎と睾丸と股部相互が分離され、又肛門部に柄部が当接される、即ち男性局部の各部分が独立的に仕切られ汗などをかいた各部分の皮膚同士が直接に接触するのを防止できるので蒸れることなく爽快である。また肛門部の湿気も吸収される。その結果皮膚病の防止、治癒にも役立ち洗濯、交換も容易である。
特許文献２に示された技術には、柔らかい通気性のある材料で袋を加工し、その袋に睾丸を挿入口より収納、袋が脱落しないように挿入口淵を収縮性か、リング状等で止めるようにしている。このようにすることによって睾丸と周囲の皮膚を接触しないようにし、袋の脱落することを防いでいる。
【先行技術文献】
【特許文献】
【０００３】
【特許文献１】登録用新案第３００２４４５号公報
【特許文献２】実開昭６０−６６３１５号公報
【考案の概要】
【考案の解決しようとする課題】
【０００４】  特許文献１に示された技術には次のような欠点があった。パットの構成も複雑でもあるが、パンツへの付着手段にも問題がある。パンツに付着する位置が定まり辛い、又はパンツの穿き具合で局部に正確に定まりにくい。
伸縮の多いパンツだとパットがずれるので、伸縮の少ないパンツに限定されるので不便である。又粘着剤の粘度が弱ければパットが外れる。粘度が強ければパンツに粘着剤が付着してパンツが汚れる可能性もあり、これらの取り扱いの問題のため後期高齢者が自ら装着使用することは困難である。
また特許文献２に示された技術には次のような欠点があった。袋が脱落しないように、挿入口淵を収縮状かリングで止めるようにしたとあるが、特にリングでは陰茎の伸縮を考えると脱落しないようにするのは困難であり挿入口に伸縮性を持たせることが望ましい。一方ここで開示されているような袋状態では通気が悪いという問題点があった。
本考案は以上のような課題を克服するためになされたものであり、睾丸の伸縮が弱くなった後期高齢者に適応するような睾丸用ネット包帯を提供することを目的とする。
【課題を解決するための手段】
【０００５】  本考案に係る睾丸用ネット包帯は、円筒形のネット包帯と一端に設けられた第１のリブ編み開口部とネット包帯本体の他端に設けられた第２のリブ編み開口部とを備え、前記第１のリブ編み開口部は第２のリブ編み開口部より外径が小さいことを特徴とする。
ネット包帯の一方のみに開口部を設けた場合は、他方が袋状になるため通気性が悪くなる。また、開口部をリブ編みにしない場合は、ネット包帯が縮んでずれ上がる。
本考案の睾丸用ネット包帯は第１のリブ編み開口部と他端の第２のリブ編み開口部を備えることによりこれを睾丸に直接装着することで従来技術で課題であったずれ易さや通気性の悪さを解決している。
また、本考案に係る睾丸用ネット包帯は、ネット包帯両端のリブ編み開口部を違った外径とすることで利用者により自分にフィットする開口部の選択肢を提供することができる。
また、ネット包帯の両端開口の外径を異ならせることで洗濯後の伸縮にも対応し易くなる。
【考案の効果】
【０００６】  本考案によれば、睾丸の伸縮が弱くなった後期高齢者に適応するような睾丸用ネット包帯を提供することができる。
また寝るときに装着することで、伸縮の高いネット包帯なので締め付けがなく端がリブ編みでずり落ち辛く弛みにくく自然に睾丸に沿うので直接内股との接触がなく、汗をかいても湿気を放出し蒸れることなく、カビ菌の繁殖を抑え皮膚病の予防ができる。
なお本考案は睡眠中のケアだけで充分効果があるので、寝る前に装着し起きたときに取り外せばよい。
【図面の簡単な説明】
【０００７】
【図１】本考案に係る睾丸用ネット包帯の斜視図である。
【図２】本考案に係る睾丸用ネット包帯の正面図である。
【図３】厚紙を丸めたガイドの斜視図である。
【図４】ガイドに睾丸用ネット包帯を被せた斜視図である。
【図５】ガイドを広げて睾丸に被せる前の斜視図である。
【図６】睾丸に睾丸用ネット包帯を被せ装着した斜視図である。
【図７】睾丸に睾丸用ネット包帯を被せ装着した断面図である。
【考案を実施するための形態】
【０００８】  以下考案を実施するための形態について説明する。
図１、図２に示すように円筒形のネット包帯本体１の両端にリブ編み開口部２、３を設ける、第１のリブ編み開口部２の外径を細く、第２のリブ編み開口部３の外径を太めにする。
大中小とサイズの違ったものを何種類か作る。次の表１及び表２は、図１の睾丸用ネット包帯を大中小と３種類作ったときの目安寸法で、単位はミリメートルである。
【０００９】
【表１】
0003197360.tif 000003
【００１０】
【表２】
0003197360.tif 000004
【００１１】  本考案は以上のような構成である。
これを寝汗をかくようなとき寝る前に装着して、起きたら取り外すのが原則である。
【００１２】  （装着方法の説明）
装着方法は図３に示すように、厚紙を丸めて円筒形のガイド４を作り、図４に示すようにガイド４にネット包帯１を被せる。
次に図５に示すように、ネット包帯を被せたガイド４を広げた内部に睾丸を挿入し、ネット包帯１を睾丸側に引っ張りながらガイド４を反対側に抜くことで、図６図７に示す状態となり簡単に装着できる。
【００１３】  （考案の効果）
以上説明したように、実施の形態に係る睾丸用ネット包帯は睾丸の伸縮が弱くなった後期高齢者に適応するような睾丸用ネット包帯を提供することができる。なお実施の形態に係る睾丸用ネット包帯は、若い人でも緊張もなくリラックス状態だと睾丸の伸縮もないので適応できるが、睾丸が縮小するとネット包帯が外れる。但し睾丸が縮小した場合は内股との接触がなくなるので、睡眠中のケアは充分とは言えないが特に問題はない。
【符号の説明】
【００１４】  １．  ネット包帯
２．  第１のリブ編み開口部
３．  第２のリブ編み開口部
４．  ガイド
【図１】
0003197360.tif 000005
【図２】
0003197360.tif 000006
【図３】
0003197360.tif 000007
【図４】
0003197360.tif 000008
【図５】
0003197360.tif 000009
【図６】
0003197360.tif 000010
【図７】
0003197360.tif 000011